(57)【要約】安価に製造され長持ちする、流行の装いのためのオーバーシューズが、上側部分（１）とソール部分（７）とを有しており、このソール部分は、上側部分に接着されている。上側部分は、靴の上側部分と、ソール部分と、インステップ部分と、ヒール部分との周りに密にフィットし、第１の内側パネル（８）と、第２の外側パネル（１０）と、基体パネルセクションとを有している。これら内側パネルと外側パネルと基体パネルセクションとは、可撓性と弾性とを有する材料を基礎にした透明若しくは半透明ＰＶＣで形成されている。内側パネルと外側パネルと基体パネルセクションとは、ヒールセクションを規定したオーバーシューズを形成するように、互いに隣接したエッジに沿って一緒に取着されている。開閉可能なジッパー（３０）が、オーバーシューズを靴に装着することを可能にしている。ジッパーが閉じられているとき、オーバーシューズは、靴に密にフィットしている。
2009511103.tif 000002
【特許請求の範囲】
【請求項１】
第1の内側パネルと第２の外側パネルとを少なくとも含む複数のパネルと、
これら複数のパネルのソールエリアに取着された比較的厚いソールシート部材とを具備し、これら複数のパネルは、可撓性と弾性とを有するポリマー材料で形成され、また、これら複数のパネルは、靴の上側部分と、ソール部分と、インステップ部分と、ヒール部分との周りに密にフィットするエリアを有するオーバーシューズを形成するように、互いに隣接したエッジに沿って一緒に取着されているオーバーシューズ。
【請求項２】
開閉可能な留め手段を具備し、前記可撓性と弾性とにより、オーバーシューズは、留め手段が開けられているとき、靴に装着されることが可能であり、開閉可能な留め手段が閉じられているとき、オーバーシューズは、靴に密にフィットし得る請求項１のオーバーシューズ。
【請求項３】
前記複数のパネルは、可撓性、弾性、並びに強度の所望の特性をＰＶＣに与える混合材料を含むＰＶＣ材料で形成されている請求項１のオーバーシューズ。
【請求項４】
前記ポリマー材料は、透明若しくは半透明である前記全ての請求項のいずれか1のオーバーシューズ。
【請求項５】
前記内側パネルは、オーバーシューズが右足若しくは左足にフィットし得るように、前記外側パネルに類似している前記全ての請求項のいずれか1のオーバーシューズ。
【請求項６】
前記複数のパネルは、超音波融着若しくは縫い合わせにより一緒に取着されている前記全ての請求項のいずれか1のオーバーシューズ。
【請求項７】
前記開閉可能な留め手段は、ジッパー、マジックテープ（登録商標）、適切な留め具を有したフラップ、アイレット中に受け入れられる靴紐、並びにバックルの少なくとも1つを有している請求項２のオーバーシューズ。
【請求項８】
前記留め手段は、オーバーシューズの前部若しくは後部の所に結合線に沿って配置されている請求項２のオーバーシューズ。
【請求項９】
前記内側パネルと外側パネルとの各々の基体領域は、ソール部分を固定するための領域を形成するように一緒に取着された複数のフラップを有し、前記領域は、結合線により補強並びに強化されている前記全ての請求項のいずれか1のオーバーシューズ。
【請求項１０】
基体パネルセクションを具備している前記全ての請求項のいずれか1のオーバーシューズ。
【請求項１１】
前記基体パネルセクションは、靴のヒール部分の長さに渡って延びている細長い第１並びに第２の側方パネルと、これら第１並びに第２の側方パネル間に延びている細長い内方パネルとで形成されたヒールセクションを有し、前記第１並びに第２の側方パネルと内方パネルとは、互いに隣接したエッジに沿って一緒に取着されている請求項１０のオーバーシューズ。
【請求項１２】
前記基体パネルセクションは、オーバーシューズのソール部分とインステップ部分とを規定しいている単一の基体パネルを有している請求項１０のオーバーシューズ。
【請求項１３】
前記基体パネルは、内側ヒールセクションを規定し、前記内側パネルと外側パネルとは、内側ヒールセクションと外側ヒールセクションとを規定している請求項１２のオーバーシューズ。
【請求項１４】
ヒールを規定しているオーバーシューズの一部は、所定の長さに実質的に切断され得るように、ヒールの長さより長いディメンションを有している前記全ての請求項のいずれか１のオーバーシューズ。
【請求項１５】
前記ソールシート部材は、１ないし５ｍｍの厚さのゴム材料で形成されている前記全ての請求項のいずれか１のオーバーシューズ。
【請求項１６】
第１並びに第２のオーバーシューズと、これら第１並びに第２のオーバーシューズを折り畳まれた状態で受け入れるための入れ物とを具備し、各オーバーシューズは、前記全ての請求項のいずれか１に説明されたようなオーバーシューズである、オーバーシューズ用のパック。
【請求項１７】
前記入れ物は、複数の結合線に沿って折られて留められた１つのパネルから形成され、このパネルは、可撓性と弾性とを有する透明若しくは半透明のポリマー材料で形成されている請求項１６のパック。
【発明の詳細な説明】
【技術分野】
【０００１】
本発明は、履物、特に、靴が濡れたり損なわれたりするのを防止するように、他の靴にかぶされるように意図されたオーバーシューズ若しくはガロッシュ(galoshes)に関する。
【背景技術】
【０００２】
産業若しくは商業上の適用例とは対照的に、個人用のオーバーシューズのための様々な提案がある（例えば、ＪＰ２００４１０５６９５、ＦＲ２６０８０２４、ＷＯ２００４０２３９１５、ＵＳ２４７９００６を見よ）。一般に、このようなオーバーシューズを設計する際の重要な点は、様々な靴にフィットすることができ長持ちするオーバーシューズにおいて機能的であることである。オーバーシューズは、外見を考慮した場合、一般に、ファッションシューズに装着されるのに適していない。
【０００３】
正装用の靴に装着される軽量かつ防水性の構造で、透明の上側部分とソール部分とで形成されたオーバーシューズが、米国特許第１，６０４，９５４号に提案されている。上側部分は、例えば絹の内張りと、薄い透明のゴムの外張りとを有している。上側部分は、また、オーバーシューズを足に履かせたり足にぴったりとフィットさせたりするのを可能にするように側面にガセットを有した単一構造である。しかし、この開示されたオーバーシューズは、流行の装いを考慮したとしても、実用性に欠けている。一体構造の上側部分は、伸び並びに/若しくはちぎれやすい。提案されたレイヤー構造を有する材料は、費用を高くしてしまう。
【０００４】
ＥＰ−Ａ−０３４６００５は、主に靴の色を変えることを目的とした装飾用の靴カバーを開示している。この靴カバーは、靴の内面と外面とをカバーする１つ若しくは２つのピースのブランクで形成されている。このようなカバーは、靴のヒールをカバーせず、ヒールが通されるアパチャを有している。このような構造は、雨からの保護に適していない。
【０００５】
ＦＲ−Ａ−１１３９３２８は、靴のスパイクヒールのためのカバーを開示している。このカバーの目的は、車の運転中に靴を保護するのに機能的である。
【発明の開示】
【発明が解決しようとする課題】
【０００６】
本発明の目的は、人目を引く外見を有するにもかかわらず繰り返しの使用を可能にするように長持ちし機能的である、流行の装いを意図したオーバーシューズ若しくはガロッシュを提供することである。
【０００７】
本発明の他の目的は、圧縮や収容が容易である、流行の装いを意図したオーバーシューズ若しくはガロッシュを提供することである。
【課題を解決するための手段】
【０００８】
本発明は、第１の態様において、第１の内側パネルと第２の外側パネルとを少なくとも含む複数のパネルと、これらパネルのソールエリアに取着された比較的厚いソールシート部材とを有し、これら複数のパネルは、可撓性と弾性とを有するポリマー材料で形成され、また、これら複数のパネルは、靴の上側部分と、ソール部分と、インステップ部分と、ヒール部分との周りに密にフィットするようなエリアを有するオーバーシューズを形成するように、互いに隣接したエッジに沿って一緒に取着されているオーバーシューを提供している。
【０００９】
好ましくは、開閉可能な留め手段が上側部分に配設され、このため、オーバーシューズは、前記可撓性並びに弾性により、留め手段が開けられているとき、靴に装着されることができ、開閉可能な留め手段が閉じられているとき、オーバーシューズは、靴に密にフィットすることができる。
【００１０】
本発明に従えば、使用者により着用されたファッションシューズの外見と互換性のある、若しくはその外見を更に良くするオーバーシューズが提供されている。材料の透明な性質により、内側の靴は、見られることができ、この材料は、装飾パターンが材料に形成されるように、部分的に透明であり得る。代わって若しくは更に、装飾用のタグ、フラップ、並びに縁取りが、設けられることができる。
【００１１】
オーバーシューズのパネルの材料は、ゴム材料が混合されたポリエステルであっても良いし、可撓性、弾性、並びに強度の所望の特性をＰＶＣに与える混合材料を含んだＰＶＣ材料であっても良い。このような材料は、市販されており、例えば、Glovanni Crespi S.p.A of Lengano-Milano,Italy（www.Crespi.itを見よ）により販売されている。
【００１２】
前記材料の特長は、オーバーシューズの部分を互いに取着若しくは一緒に縫い合わせることを可能にし、結合線が、更なる強度と補強とを与える。ステッチによる取着は、ステッチ線が、使用時に大きな歪みが生じ得る履物に望まれる所定の強度と可撓性とを与えるという効果を有している。２つの内側並びに外側パネルの基体領域は、インステップエリア並びにソールエリア（並びにヒールエリアも考えられる）を設けるように、一緒に縫い合わされた複数のフラップを有することができる。ソールエリアは、ステッチ線により強化並びに補強され、ソールシート部材は、ソールエリアに取着されている。
【００１３】
代わって、複数の部分は、超音波融着により一緒に取着されることができる。これは、比較的防水性のある結合線を形成すること、並びにコストが低いことのために好まれる。好ましくは、融着は、超音波振動が伝達される刻み付きリムを有する回転ホイールを備えたセラ ロトソニック(Cera Rotosonic)のツールを使用して果たされる(www.cerafrance.fr - Cera, Rue de 8 Mai BP12, 42390 Villars, Franceを見よ)。
【００１４】
高価なモールド成形が必要とされないオーバーシューズの成形若しくは製造の方法は、実質的に安価であり、パネルは、シート材料から容易に切断され、一緒に取着されることができる。
【００１５】
前記ソールシート部材は、長期の使用のために設けられ、１ｍｍないし５ｍｍの厚さの耐摩耗性の合成ゴムで形成されることができる。
【００１６】
開閉可能な留め手段は、ジッパー、マジックテープ（登録商標）、適切な留め具を有したフラップ、アイレット中に受け入れられる靴紐、バックル、若しくは他の便利な手段を含むことができる。この留め手段は、オーバーシューズの前部若しくは後部の所の縫い合わせ線の１つに沿って配置されることができる。代わって、留め手段は、オーバーシューズの内側並びに外側パネルの一方に配置されることができる。
【００１７】
好ましくは、前記内側並びに外側パネルに加えて、１つ以上のパネルからなる基体パネルセクションが、設けられている。このような基体パネルセクションは、ヒールの長さに渡って延びている細長い第１並びに第２の側方パネルと、ヒールの長さに渡ってこれら第１並びに第２の側方パネル間に延びている細長い内方パネルとで形成されたヒールセクションを有することができる。これら３つのパネルは、互いに隣接したエッジに沿って一緒に取着されている。これは、例えばスパイクヒールに非常にぴったりとフィットすることができる強固な構造を与えている。しかし、本発明のオーバーシューズは、高いヒールを有したファッションシューズに適用されることができる。更に、本発明に従えば、ヒールセクションは、所望の長さに切断されて特定の靴にフィットし得るように、ヒールの長さよりも長いディメンション(over dimension)を有することができる。
【００１８】
代わって、基体パネルセクションは、ソール部分と、インステップ部分と、ヒールセクションの内部とを規定している単一の基体パネルを有することができる。尚、前記内側並びに外側パネルは、ヒールセクションの外部を規定している。基体パネルと内側並びに外側パネルとは、オーバーシューズを形成するように、ソール部分とインステップ部分とのエッジに沿って、また、ヒールセクションに沿って取着されている。これは、３つのパネルを必要とするだけなので、オーバーシューズを形成する非常に経済的な方法である。
【００１９】
前記内側パネルと外側パネルとは、本発明のオーバーシューズがある程度の対称性を有し、右足と左足とに等しくフィットし、そして装飾的な細部を可能にするように、同じ形状であることが好ましい。
【００２０】
第１の内側パネルと第２の外側パネルとが本発明に従ったオーバーシューズの上側部分に設けられていることにより、オーバーシューズが、不使用時に、２つの内側並びに外側パネルを互いに重ねてこの上にソール部分を重ねた状態で平らにされることができるという特定の効果を有する。これら内側並びに外側パネルは、コンパクトな形態に折り畳まれることができる。小さなホルダー、キャリア、若しくはポーチが、１対のこのようなオーバーシューズを受け入れるのに望ましいように形成されている。このようなホルダーは、ファッションの付属品のように片手に携帯されても良いし、女性用のハンドバッグ中に携帯されても良い。このようなキャリアは、オーバーシューズと同じ材料で形成され得ることが望ましく、キャリア用の側部と閉じフラップとを形成するように折り畳まれる単一の長い部分を有することができる。２つの短いエッジ部分が、オーバーシューズ用の入れ物を形成するように、キャリア側部のエッジに取着されるように設けられている。
【００２１】
第２の態様において、本発明は、折り畳まれて入れ物に入れられた第１並びに第２のオーバーシューズを有するオーバーシューズ用のパックを提供している。
【発明を実施するための最良の形態】
【００２２】
本発明の好ましい実施形態が、添付図面を参照して説明される。
【００２３】
図１において、スパイクヒール４を有した女性用のファッションシューズが示されている。本発明に従ったオーバーシューズ６は、靴２にぴったりとフィットし、靴２のヒール部分、ソール部分、インステップ部分、並びに上側部分の外形に従っている。オーバーシューズ６は、靴２が明瞭に見えるように、透明である。また、このオーバーシューズ６は、ソール部材７と、上部、即ち上側部分とを有しており、この上側部分は、第１の外側パネル８と、第２の内側パネル１０と、ヒールセクション１２とを有している。これら３つの部分は、靴の前部と後部の所の、これら部分の互いに隣接したエッジの縫い目１４，１６と、上側部分の両パネルとヒールセクションとの間の線１８とに沿って、一緒に縫い合わされている。これら３つの部分の材料は、上述されたように、可撓性、弾性、並びに強度の所望の特性をＰＶＣに与えるように、混合材料を有したＰＶＣ材料である。前記ヒールセクションは、３つのパネル、即ち第１の側方ヒールパネル２０と、第２の側方ヒールパネル２２と、内方ヒールパネル２４とを有している。これらヒールパネルは、縫い目線２８に沿って、一緒に縫い合わされている。
【００２４】
ジッパー３０が、オーバーシューズの前部に縫い目線１４に沿って設けられている。また、装飾品４０が、外側パネル８に装着されている。
【００２５】
前記内側パネル１０と外側パネル８とは、オーバーシューズが、縫い目線１４，１６を通る中央平面に関して対称であって、右足若しくは左足にフィットされ得るように、同じ形状並びにサイズである。
【００２６】
図２は、図１の実施形態のための外側パネル８の平面図を示している。前側のエッジが、ジッパーストリップを受けるように８０のところでへこんでいるのが、判る。このパネル８の下側領域は、３つのフラップ部分８２，８３，８４を有している。フラップ８４は、靴のインステップ部分の下にフィットするインステップエリアを形成するように設計され、内側パネル１０の対応したフラップに縫い合わされるように折られる。また、フラップ８２，８３は、靴のソール部分の下に折られるソールエリアを形成し、互いに隣接したエッジ８５，８６に沿って一緒に縫い合わされる。更に、これらフラップのエッジ８７，８８は、パネル１０の対応したフラップのエッジにそれぞれ縫い合わされる。これらフラップと縫い目線との形成により、ソールエリアには、更なる強度と補強とが与えられる。
【００２７】
次に、ソールシート部材７が、前記ソールエリアに取着され、この部材７は、厚さ約３ｍｍの合成ゴムのシートからなっている。
【００２８】
図３には、図１のヒールパネル２０，２２が、示されている。これら２つのパネルは、同一である。更に、内方ヒールパネル２４が、図示されている。これらパネルは、スパイクヒールに一致するように成形されている。ヒールセクションを形成しているこれらパネルは、特定のヒールのための長さに切断されることができる。
【００２９】
図４並びに５に示されている第２の実施形態には、図１に類似した部分が、同じ参照符号により示されている。外側パネル８は、内側パネル１０と同一であり、オーバーシューズの外側上部を規定している本体部分５０と、ヒールセクション１２の外面と後面とを規定しているヒール部分５２とを有している。基体パネル５４が、ソール部分５６と、インステップ部分５８と、ヒールセクションの内面６０とを規定している。ソールシート部材７が、グルー若しくは接着材をパネル８,１０に接着することにより、結合されている。このソールシート部材７は、合成ゴムで形成され、長期の使用に耐えるように、３ｍｍのかなりの厚さを有している。
【００３０】
パネル８，１０，５４は、融着線６２，６４，６６を形成するように、上述されたようなセラ ロトソニック(Cera Rotosonic)のツールを使用して、超音波融着により、パネルのエッジに沿って一緒に取着されている。
【００３１】
図６は、本発明に従ったオーバーシューズの特殊な例を示しており、図１と同じ部分は、同じ参照符号で示されている。図６のオーバーシューズは、平らに折り畳まれた形態を与えるように、ヒールセクションにトウ並びにソール部分１０１を折り返し、そして上側部分８を折り線１１２，１１４（大まかに示されている）に沿って折ることにより折り畳まれ得るように、実質的に平らにされている。
【００３２】
第１並びに第２のオーバーシューズが折り畳まれたときにこれらオーバーシューズを中に収容することができるポーチ１１６が、与えられている。このポーチ１１６は、オーバーシューズと同じ材料（若しくは異なる厚さ、若しくは異なる材料）で形成されることができ、単一の主ストリップ１１８を有している。このストリップは、ポーチの側部を形成するように、Ｕ字形状の融着線１２２に沿って側方ストリップ１２０に折り返され取着されている。開口部１２４が、オーバーシューズを受け入れるように、形成されている。ストリップ１１８の一方の自由端部により形成されたフラップ１２６が、この開口部１２４を閉じ、フラップを留めるためのポップ留め具(pop fastener)１２８を有している。
【００３３】
説明されたオーバーシューズの材料は、透明若しくは半透明である。このような材料は、可撓性、弾性、並びに強度の所望の特質をＰＶＣに与えるように、混合材料を含むＰＶＣ材料である。このような材料は、市販されており、例えば、Giovanni Crespi S.p.A, of Legnano-Milano, Italy-types TU and TPU（www.Crespi.itを見よ）により販売されている。
【図面の簡単な説明】
【００３４】
【図１】本発明に従ったオーバーシューズの第１の好ましい形態を示している斜視図である。
【図２】図１の実施形態のための上側パネルを示している平面図である。
【図３】図１の好ましい実施形態のためのヒールセクションのパネルを示している平面図である。
【図４】本発明の第２の実施形態を示している斜視図である。
【図５】第２の実施形態の複数の部分を構成しているパネルを示している平面図である。
【図６】キャリーホルダ、即ちポーチが一緒になった本発明の特殊な例の平面図である。
【図１】
2009511103.tif 000003
【図２】
2009511103.tif 000004
【図３】
2009511103.tif 000005
【図４】
2009511103.tif 000006
【図５】
2009511103.tif 000007
【図６】
2009511103.tif 000008
【国際調査報告】
2009511103.tif 000009
2009511103.tif 000010
2009511103.tif 000011